(57)【要約】【課題】  光ディスクの種類の判別を高い信頼性で行うことができ、かつ、光ディスクの起動処理を高速に実行することができる情報担体装置および情報担体起動方法を提供すること。【解決手段】  情報担体装置は、カートリッジ１０２が開けられたことがあるか否かを判定する判定手段と、カートリッジ１０２に格納されている情報担体１０１に応じた起動処理を実行する制御手段１２５とを備え、カートリッジ１０２が開けられたことがないと判定された場合には、制御手段１２５は、青色レーザを用いて情報担体１０１を起動する第１の起動処理（Ｓ３０３〜Ｓ３１３）を実行し、カートリッジ１０２が開けられたことがあると判定された場合には、制御手段１２５は、情報担体１０１が青色レーザ以外のレーザを用いて起動処理を実行すべき情報担体であるか否かを判定する。【選択図】  図１
2005149703.tif 000002
【特許請求の範囲】
【請求項１】
情報担体に対して記録動作および再生動作のうちの少なくとも一方を行う情報担体装置であって、
前記情報担体を格納しているカートリッジが開けられたことがあるか否かを判定する判定手段と、
前記情報担体に応じた起動処理を実行する制御手段と
を備え、
前記カートリッジが開けられたことがないと判定された場合には、前記制御手段は、青色レーザを用いて前記情報担体を起動する第１の起動処理を実行し、
前記カートリッジが開けられたことがあると判定された場合には、前記制御手段は、前記情報担体が前記青色レーザ以外のレーザを用いて起動処理を実行すべき情報担体であるか否かを判定する、情報担体装置。
【請求項２】
前記情報担体が前記青色レーザ以外のレーザを用いて起動処理を実行すべき情報担体であると判定された場合には、前記制御手段は、前記青色レーザ以外のレーザを用いて前記情報担体に応じた起動処理を実行し、
前記情報担体が前記青色レーザ以外のレーザを用いて起動処理を実行すべき情報担体でないと判定された場合には、前記制御手段は、前記青色レーザを用いて前記情報担体が前記カートリッジに正しい向きで格納されているか否かを判定する、請求項１に記載の情報担体装置。
【請求項３】
前記情報担体が前記カートリッジに正しい向きで格納されていると判定された場合には、前記制御手段は、前記青色レーザを用いて前記情報担体を起動する第２の起動処理を実行し、
前記情報担体が前記カートリッジに正しい向きで格納されていないと判定された場合には、前記制御手段は、エラー信号を出力する、請求項２に記載の情報担体装置。
【請求項４】
前記第１の起動処理において、前記制御手段は、前記情報担体が単一層の構造を有しているか複数層の構造を有しているかを判定し、前記情報担体が単一層の構造を有しているか複数層の構造を有しているか否かに応じた起動処理を実行する、請求項１に記載の情報担体装置。
【請求項５】
前記第２の起動処理において、前記制御手段は、前記青色レーザを用いて、前記情報担体が単一層の構造を有しているか複数層の構造を有しているかを判定し、前記情報担体が単一層の構造を有しているか複数層の構造を有しているか否かに応じた起動処理を実行する、請求項３に記載の情報担体装置。
【請求項６】
前記制御手段は、前記青色レーザから出射された光ビームであって、前記情報担体によって反射された光ビームに基づいて生成されるフォーカスエラー信号の振幅に応じて、前記情報担体が単一層の構造を有しているか複数層の構造を有しているかを判定する、請求項５に記載の情報担体装置。
【請求項７】
前記制御手段は、前記青色レーザから出射された光ビームであって、前記情報担体によって反射された光ビームに基づいて生成されるフォーカスエラー信号の振幅を前記情報担体によって反射された前記光ビームに基づいて生成される全光量信号の振幅で正規化することにより正規化されたフォーカスエラー信号を生成し、前記正規化されたフォーカスエラー信号の振幅に応じて、前記情報担体が前記カートリッジに正しい向きで格納されているか否かを判定する、請求項２に記載の情報担体装置。
【請求項８】
前記制御手段は、前記フォーカスエラー信号の振幅と前記全光量信号の振幅とが計測されている間、前記情報担体の回転を停止させる、請求項７に記載の情報担体装置。
【請求項９】
前記制御手段は、前記光ビームの収束点を前記情報担体から離れた位置に移動させ、その位置から前記光ビームの収束点を除々に前記情報担体に近づけながら前記フォーカスエラー信号の振幅と前記全光量信号の振幅とを計測し、前記フォーカスエラー信号の振幅と前記全光量信号の振幅の計測が終了した後に前記光ビームの収束点が前記情報担体から遠ざかるように前記光ビームの収束点を移動させる、請求項７に記載の情報担体装置。
【請求項１０】
前記制御手段は、前記情報担体が赤色レーザを用いて起動処理を実行すべき情報担体であるか否かを判定し、
前記情報担体が前記赤色レーザを用いて起動処理を実行すべき情報担体であると判定された場合には、前記制御手段は、前記赤色レーザを用いて前記情報担体に応じた起動処理を実行する、請求項２に記載の情報担体装置。
【請求項１１】
前記制御手段は、前記赤色レーザから出射された光ビームであって、前記情報担体によって反射された光ビームに基づいて生成されるフォーカスエラー信号の振幅に応じて、前記情報担体が赤色レーザを用いて起動処理を実行すべき情報担体であるか否かを判定する、請求項１０に記載の情報担体装置。
【請求項１２】
前記制御手段は、前記フォーカスエラー信号の振幅が計測されている間、前記情報担体の回転を停止させる、請求項１１に記載の情報担体装置。
【請求項１３】
前記制御手段は、前記光ビームの収束点を前記情報担体から離れた位置に移動させ、その位置から前記光ビームの収束点を除々に前記情報担体に近づけながら前記フォーカスエラー信号の振幅を計測し、前記フォーカスエラー信号の振幅の計測が終了した後に前記光ビームの収束点が前記情報担体から遠ざかるように前記光ビームの収束点を移動させる、請求項１１に記載の情報担体装置。
【請求項１４】
前記情報担体が前記赤色レーザを用いて起動処理を実行すべき情報担体でないと判定された場合には、前記制御手段は、前記情報担体が、赤外レーザを用いて起動処理を実行すべき情報担体であるか否かを判定し、
前記情報担体が前記赤外レーザを用いて起動処理を実行すべき情報担体であると判定された場合には、前記制御手段は、前記赤外レーザを用いて前記情報担体に応じた起動処理を実行する、請求項１０に記載の情報担体装置。
【請求項１５】
前記制御手段は、前記情報担体が赤外レーザを用いて起動処理を実行すべき情報担体であるか否かを判定し、
前記情報担体が前記赤外レーザを用いて起動処理を実行すべき情報担体であると判定された場合には、前記制御手段は、前記赤外レーザを用いて前記情報担体に応じた起動処理を実行する、請求項２に記載の情報担体装置。
【請求項１６】
前記制御手段は、前記赤外レーザから出射された光ビームであって、前記情報担体によって反射された光ビームに基づいて生成されるフォーカスエラー信号の振幅に応じて、前記情報担体が赤外レーザを用いて起動処理を実行すべき情報担体であるか否かを判定する、請求項１５に記載の情報担体装置。
【請求項１７】
前記制御手段は、前記フォーカスエラー信号の振幅が計測されている間、前記情報担体の回転を停止させる、請求項１６に記載の情報担体装置。
【請求項１８】
前記制御手段は、前記光ビームの収束点を前記情報担体から離れた位置に移動させ、その位置から前記光ビームの収束点を除々に前記情報担体に近づけながら前記フォーカスエラー信号の振幅を計測し、前記フォーカスエラー信号の振幅の計測が終了した後に前記光ビームの収束点が前記情報担体から遠ざかるように前記光ビームの収束点を移動させる、請求項１６に記載の情報担体装置。
【請求項１９】
前記情報担体が前記赤外レーザを用いて起動処理を実行すべき情報担体でないと判定された場合には、前記制御手段は、前記情報担体が、赤色レーザを用いて起動処理を実行すべき情報担体であるか否かを判定し、
前記情報担体が前記赤色レーザを用いて起動処理を実行すべき情報担体であると判定された場合には、前記制御手段は、前記赤色レーザを用いて前記情報担体に応じた起動処理を実行する、請求項１５に記載の情報担体装置。
【請求項２０】
前記情報担体が前記カートリッジに格納されていない裸の情報担体である場合には、前記制御手段は、前記情報担体が前記青色レーザ以外のレーザを用いて起動処理を実行すべき情報担体であるか否かを判定する、請求項１に記載の情報担体装置。
【請求項２１】
情報担体に対して記録動作および再生動作のうちの少なくとも一方を行う情報担体装置において実行される情報担体起動方法であって、
（ａ）前記情報担体を格納しているカートリッジが開けられたことがあるか否かを判定するステップと、
（ｂ）前記情報担体に応じた起動処理を実行するステップと
を包含し、
前記ステップ（ｂ）は、
前記カートリッジが開けられたことがないと判定された場合には、青色レーザを用いて前記情報担体を起動する第１の起動処理を実行するステップと、
前記カートリッジが開けられたことがあると判定された場合には、前記情報担体が前記青色レーザ以外のレーザを用いて起動処理を実行すべき情報担体であるか否かを判定するステップと
を包含する、情報担体起動方法。
【請求項２２】
前記ステップ（ｂ）は、
前記情報担体が前記青色レーザ以外のレーザを用いて起動処理を実行すべき情報担体であると判定された場合には、前記青色レーザ以外のレーザを用いて前記情報担体に応じた起動処理を実行するステップと、
前記情報担体が前記青色レーザ以外のレーザを用いて起動処理を実行すべき情報担体でないと判定された場合には、前記青色レーザを用いて前記情報担体が前記カートリッジに正しい向きで格納されているか否かを判定するステップと
をさらに包含する、請求項２１に記載の情報担体起動方法。
【請求項２３】
前記ステップ（ｂ）は、
前記情報担体が前記カートリッジに正しい向きで格納されていると判定された場合には、前記青色レーザを用いて前記情報担体を起動する第２の起動処理を実行するステップと、
前記情報担体が前記カートリッジに正しい向きで格納されていないと判定された場合には、エラー信号を出力するステップと
をさらに包含する、請求項２２に記載の情報担体起動方法。
【請求項２４】
前記第１の起動処理は、前記情報担体が単一層の構造を有しているか複数層の構造を有しているかを判定するステップと、前記情報担体が単一層の構造を有しているか複数層の構造を有しているか否かに応じた起動処理を実行するステップとを包含する、請求項２１に記載の情報担体起動方法。
【請求項２５】
前記第２の起動処理は、前記青色レーザを用いて、前記情報担体が単一層の構造を有しているか複数層の構造を有しているかを判定するステップと、前記情報担体が単一層の構造を有しているか複数層の構造を有しているか否かに応じた起動処理を実行するステップとを包含する、請求項２３に記載の情報担体起動方法。
【請求項２６】
前記情報担体が単一層の構造を有しているか複数層の構造を有しているかの判定は、前記青色レーザから出射された光ビームであって、前記情報担体によって反射された光ビームに基づいて生成されるフォーカスエラー信号の振幅に応じて行われる、請求項２５に記載の情報担体起動方法。
【請求項２７】
前記ステップ（ｂ）は、
前記青色レーザから出射された光ビームであって、前記情報担体によって反射された光ビームに基づいて生成されるフォーカスエラー信号の振幅を前記情報担体によって反射された前記光ビームに基づいて生成される全光量信号の振幅で正規化することにより正規化されたフォーカスエラー信号を生成するステップをさらに包含し、
前記情報担体が前記カートリッジに正しい向きで格納されているか否かの判定は、前記正規化されたフォーカスエラー信号の振幅に応じて行われる、請求項２２に記載の情報担体起動方法。
【請求項２８】
前記ステップ（ｂ）は、
前記フォーカスエラー信号の振幅と前記全光量信号の振幅とが計測されている間、前記情報担体の回転を停止させるステップをさらに包含する、請求項２７に記載の情報担体起動方法。
【請求項２９】
前記ステップ（ｂ）は、
前記光ビームの収束点を前記情報担体から離れた位置に移動させるステップと、
その位置から前記光ビームの収束点を除々に前記情報担体に近づけながら前記フォーカスエラー信号の振幅と前記全光量信号の振幅とを計測するステップと、
前記フォーカスエラー信号の振幅と前記全光量信号の振幅の計測が終了した後に前記光ビームの収束点が前記情報担体から遠ざかるように前記光ビームの収束点を移動させるステップと
をさらに包含する、請求項２７に記載の情報担体起動方法。
【請求項３０】
前記ステップ（ｂ）は、
前記情報担体が赤色レーザを用いて起動処理を実行すべき情報担体であるか否かを判定するステップと、
前記情報担体が前記赤色レーザを用いて起動処理を実行すべき情報担体であると判定された場合には、前記赤色レーザを用いて前記情報担体に応じた起動処理を実行する、請求項２２に記載の情報担体起動方法。
【請求項３１】
前記情報担体が赤色レーザを用いて起動処理を実行すべき情報担体であるか否かの判定は、前記赤色レーザから出射された光ビームであって、前記情報担体によって反射された光ビームに基づいて生成されるフォーカスエラー信号の振幅に応じて行われる、請求項３０に記載の情報担体起動方法。
【請求項３２】
前記ステップ（ｂ）は、
前記フォーカスエラー信号の振幅が計測されている間、前記情報担体の回転を停止させるステップを包含する、請求項３１に記載の情報担体起動方法。
【請求項３３】
前記ステップ（ｂ）は、
前記光ビームの収束点を前記情報担体から離れた位置に移動させるステップと、
その位置から前記光ビームの収束点を除々に前記情報担体に近づけながら前記フォーカスエラー信号の振幅を計測するステップと、
前記フォーカスエラー信号の振幅の計測が終了した後に前記光ビームの収束点が前記情報担体から遠ざかるように前記光ビームの収束点を移動させるステップと
を包含する、請求項３１に記載の情報担体起動方法。
【請求項３４】
前記ステップ（ｂ）は、
前記情報担体が前記赤色レーザを用いて起動処理を実行すべき情報担体でないと判定された場合には、前記情報担体が、赤外レーザを用いて起動処理を実行すべき情報担体であるか否かを判定するステップと、
前記情報担体が前記赤外レーザを用いて起動処理を実行すべき情報担体であると判定された場合には、前記赤外レーザを用いて前記情報担体に応じた起動処理を実行するステップと
をさらに包含する、請求項３０に記載の情報担体起動方法。
【請求項３５】
前記ステップ（ｂ）は、
前記情報担体が赤外レーザを用いて起動処理を実行すべき情報担体であるか否かを判定するステップと、
前記情報担体が前記赤外レーザを用いて起動処理を実行すべき情報担体であると判定された場合には、前記赤外レーザを用いて前記情報担体に応じた起動処理を実行するステップと
を包含する、請求項２２に記載の情報担起動方法。
【請求項３６】
前記情報担体が赤外レーザを用いて起動処理を実行すべき情報担体であるか否かの判定は、前記赤外レーザから出射された光ビームであって、前記情報担体によって反射された光ビームに基づいて生成されるフォーカスエラー信号の振幅に応じて行われる、請求項３５に記載の情報担体起動方法。
【請求項３７】
前記ステップ（ｂ）は、
前記フォーカスエラー信号の振幅が計測されている間、前記情報担体の回転を停止させるステップを包含する、請求項３６に記載の情報担体起動方法。
【請求項３８】
前記ステップ（ｂ）は、
前記光ビームの収束点を前記情報担体から離れた位置に移動させるステップと、その位置から前記光ビームの収束点を除々に前記情報担体に近づけながら前記フォーカスエラー信号の振幅を計測するステップと、前記フォーカスエラー信号の振幅の計測が終了した後に前記光ビームの収束点が前記情報担体から遠ざかるように前記光ビームの収束点を移動させるステップと
を包含する、請求項３６に記載の情報担体起動方法。
【請求項３９】
前記ステップ（ｂ）は、
前記情報担体が前記赤外レーザを用いて起動処理を実行すべき情報担体でないと判定された場合には、前記情報担体が赤色レーザを用いて起動処理を実行すべき情報担体であるか否かを判定するステップと、
前記情報担体が前記赤色レーザを用いて起動処理を実行すべき情報担体であると判定された場合には、前記赤色レーザを用いて前記情報担体に応じた起動処理を実行するステップと
を包含する、請求項３５に記載の情報担体起動方法。
【請求項４０】
前記ステップ（ｂ）は、
前記情報担体が前記カートリッジに格納されていない裸の情報担体である場合には、前記情報担体が前記青色レーザ以外のレーザを用いて起動処理を実行すべき情報担体であるか否かを判定するステップをさらに包含する、請求項２１に記載の情報担体起動方法。
【発明の詳細な説明】
【技術分野】
【０００１】
本発明は、レーザなどの光源からの光ビームを利用して、情報担体に情報を記録する、または、情報担体に記録された情報を再生する情報担体装置および情報担体起動方法に関し、特に、青色、赤色、赤外などの複数の光源から１つの光源を選択し、その選択された光源に応じた起動処理を実行する情報担体装置および情報担体起動方法に関する。
【背景技術】
【０００２】
従来、光ディスクの種類を判別する方式の一例として、特許文献１に記載の方法が知られている。この方法では、光ディスクに最も近づく最近接位置と光ディスクから十分に離れる最遠隔位置との間でレンズを移動させ、この移動過程において、光ディスクの表面からの反射光があるか否か、光ディスクの信号面からの反射光があるか否かを判定することにより、光ディスクの種類を判別している。ここで、最近接位置は、レンズが光ディスクに接触する位置としている。
【特許文献１】特開２０００−９０４４０号公報
【発明の開示】
【発明が解決しようとする課題】
【０００３】
しかしながら、上記特許文献１に記載の光ディスク装置では、最近接位置をレンズが光ディスクに接触する位置としているため、最近接位置と最遠隔位置との間でレンズを移動させた際、僅かではあるがレンズと光ディスクが衝突する。このため、最悪、光ディスクに傷をつけて記録または再生が不可能になる可能性があるという問題を有していた。さらに、ＤＶＤディスクやＣＤディスクのように赤色レーザや赤外レーザを用いて記録または再生を行う既存の光ディスクに青色レーザを照射した場合には、記録データを破壊してしまう可能性も有していた。
【０００４】
本発明は、上記従来の問題点に鑑みてなされたものであり、ＤＶＤディスクやＣＤディスクのように赤色レーザや赤外レーザを用いて記録または再生を行う既存の光ディスクに青色レーザを照射することがなく、また、光ディスクの種類を判別する際にレンズを光ディスクに接触させることがないため、光ディスクに傷をつけたり、記録データを破壊したりすることを回避することができる情報担体装置および情報担体起動方法を提供することを目的とする。さらに、カートリッジスイッチを用いて、光ディスクの種類の判別を高い信頼性で行うことができ、かつ、光ディスクの起動処理を高速に実行することができる情報担体装置および情報担体起動方法を提供することを目的とする。
【課題を解決するための手段】
【０００５】
本発明の情報担体装置は、情報担体に対して記録動作および再生動作のうちの少なくとも一方を行う情報担体装置であって、前記情報担体を格納しているカートリッジが開けられたことがあるか否かを判定する判定手段と、前記情報担体に応じた起動処理を実行する制御手段とを備え、前記カートリッジが開けられたことがないと判定された場合には、前記制御手段は、青色レーザを用いて前記情報担体を起動する第１の起動処理を実行し、前記カートリッジが開けられたことがあると判定された場合には、前記制御手段は、前記情報担体が前記青色レーザ以外のレーザを用いて起動処理を実行すべき情報担体であるか否かを判定する。これにより、上記目的が達成される。
【０００６】
前記情報担体が前記青色レーザ以外のレーザを用いて起動処理を実行すべき情報担体であると判定された場合には、前記制御手段は、前記青色レーザ以外のレーザを用いて前記情報担体に応じた起動処理を実行し、前記情報担体が前記青色レーザ以外のレーザを用いて起動処理を実行すべき情報担体でないと判定された場合には、前記制御手段は、前記青色レーザを用いて前記情報担体が前記カートリッジに正しい向きで格納されているか否かを判定してもよい。
【０００７】
前記情報担体が前記カートリッジに正しい向きで格納されていると判定された場合には、前記制御手段は、前記青色レーザを用いて前記情報担体を起動する第２の起動処理を実行し、前記情報担体が前記カートリッジに正しい向きで格納されていないと判定された場合には、前記制御手段は、エラー信号を出力してもよい。
【０００８】
前記第１の起動処理において、前記制御手段は、前記情報担体が単一層の構造を有しているか複数層の構造を有しているかを判定し、前記情報担体が単一層の構造を有しているか複数層の構造を有しているか否かに応じた起動処理を実行してもよい。
【０００９】
前記第２の起動処理において、前記制御手段は、前記青色レーザを用いて、前記情報担体が単一層の構造を有しているか複数層の構造を有しているかを判定し、前記情報担体が単一層の構造を有しているか複数層の構造を有しているか否かに応じた起動処理を実行してもよい。
【００１０】
前記制御手段は、前記青色レーザから出射された光ビームであって、前記情報担体によって反射された光ビームに基づいて生成されるフォーカスエラー信号の振幅に応じて、前記情報担体が単一層の構造を有しているか複数層の構造を有しているかを判定してもよい。
【００１１】
前記制御手段は、前記青色レーザから出射された光ビームであって、前記情報担体によって反射された光ビームに基づいて生成されるフォーカスエラー信号の振幅を前記情報担体によって反射された前記光ビームに基づいて生成される全光量信号の振幅で正規化することにより正規化されたフォーカスエラー信号を生成し、前記正規化されたフォーカスエラー信号の振幅に応じて、前記情報担体が前記カートリッジに正しい向きで格納されているか否かを判定してもよい。
【００１２】
前記制御手段は、前記フォーカスエラー信号の振幅と前記全光量信号の振幅とが計測されている間、前記情報担体の回転を停止させてもよい。
【００１３】
前記制御手段は、前記光ビームの収束点を前記情報担体から離れた位置に移動させ、その位置から前記光ビームの収束点を除々に前記情報担体に近づけながら前記フォーカスエラー信号の振幅と前記全光量信号の振幅とを計測し、前記フォーカスエラー信号の振幅と前記全光量信号の振幅の計測が終了した後に前記光ビームの収束点が前記情報担体から遠ざかるように前記光ビームの収束点を移動させてもよい。
【００１４】
前記制御手段は、前記情報担体が赤色レーザを用いて起動処理を実行すべき情報担体であるか否かを判定し、前記情報担体が前記赤色レーザを用いて起動処理を実行すべき情報担体であると判定された場合には、前記制御手段は、前記赤色レーザを用いて前記情報担体に応じた起動処理を実行してもよい。
【００１５】
前記制御手段は、前記赤色レーザから出射された光ビームであって、前記情報担体によって反射された光ビームに基づいて生成されるフォーカスエラー信号の振幅に応じて、前記情報担体が赤色レーザを用いて起動処理を実行すべき情報担体であるか否かを判定してもよい。
【００１６】
前記制御手段は、前記フォーカスエラー信号の振幅が計測されている間、前記情報担体の回転を停止させてもよい。
【００１７】
前記制御手段は、前記光ビームの収束点を前記情報担体から離れた位置に移動させ、その位置から前記光ビームの収束点を除々に前記情報担体に近づけながら前記フォーカスエラー信号の振幅を計測し、前記フォーカスエラー信号の振幅の計測が終了した後に前記光ビームの収束点が前記情報担体から遠ざかるように前記光ビームの収束点を移動させてもよい。
【００１８】
前記情報担体が前記赤色レーザを用いて起動処理を実行すべき情報担体でないと判定された場合には、前記制御手段は、前記情報担体が、赤外レーザを用いて起動処理を実行すべき情報担体であるか否かを判定し、
前記情報担体が前記赤外レーザを用いて起動処理を実行すべき情報担体であると判定された場合には、前記制御手段は、前記赤外レーザを用いて前記情報担体に応じた起動処理を実行してもよい。
【００１９】
前記制御手段は、前記情報担体が赤外レーザを用いて起動処理を実行すべき情報担体であるか否かを判定し、前記情報担体が前記赤外レーザを用いて起動処理を実行すべき情報担体であると判定された場合には、前記制御手段は、前記赤外レーザを用いて前記情報担体に応じた起動処理を実行してもよい。
【００２０】
前記制御手段は、前記赤外レーザから出射された光ビームであって、前記情報担体によって反射された光ビームに基づいて生成されるフォーカスエラー信号の振幅に応じて、前記情報担体が赤外レーザを用いて起動処理を実行すべき情報担体であるか否かを判定してもよい。
【００２１】
前記制御手段は、前記フォーカスエラー信号の振幅が計測されている間、前記情報担体の回転を停止させてもよい。
【００２２】
前記制御手段は、前記光ビームの収束点を前記情報担体から離れた位置に移動させ、その位置から前記光ビームの収束点を除々に前記情報担体に近づけながら前記フォーカスエラー信号の振幅を計測し、前記フォーカスエラー信号の振幅の計測が終了した後に前記光ビームの収束点が前記情報担体から遠ざかるように前記光ビームの収束点を移動させてもよい。
【００２３】
前記情報担体が前記赤外レーザを用いて起動処理を実行すべき情報担体でないと判定された場合には、前記制御手段は、前記情報担体が、赤色レーザを用いて起動処理を実行すべき情報担体であるか否かを判定し、前記情報担体が前記赤色レーザを用いて起動処理を実行すべき情報担体であると判定された場合には、前記制御手段は、前記赤色レーザを用いて前記情報担体に応じた起動処理を実行してもよい。
【００２４】
前記情報担体が前記カートリッジに格納されていない裸の情報担体である場合には、前記制御手段は、前記情報担体が前記青色レーザ以外のレーザを用いて起動処理を実行すべき情報担体であるか否かを判定してもよい。
【００２５】
本発明の情報担体起動方法は、情報担体に対して記録動作および再生動作のうちの少なくとも一方を行う情報担体装置において実行される情報担体起動方法であって、（ａ）前記情報担体を格納しているカートリッジが開けられたことがあるか否かを判定するステップと、（ｂ）前記情報担体に応じた起動処理を実行するステップとを包含し、前記ステップ（ｂ）は、前記カートリッジが開けられたことがないと判定された場合には、青色レーザを用いて前記情報担体を起動する第１の起動処理を実行するステップと、前記カートリッジが開けられたことがあると判定された場合には、前記情報担体が前記青色レーザ以外のレーザを用いて起動処理を実行すべき情報担体であるか否かを判定するステップとを包含する。これにより、上記目的が達成される。
【００２６】
前記ステップ（ｂ）は、前記情報担体が前記青色レーザ以外のレーザを用いて起動処理を実行すべき情報担体であると判定された場合には、前記青色レーザ以外のレーザを用いて前記情報担体に応じた起動処理を実行するステップと、前記情報担体が前記青色レーザ以外のレーザを用いて起動処理を実行すべき情報担体でないと判定された場合には、前記青色レーザを用いて前記情報担体が前記カートリッジに正しい向きで格納されているか否かを判定するステップとをさらに包含してもよい。
【００２７】
前記ステップ（ｂ）は、前記情報担体が前記カートリッジに正しい向きで格納されていると判定された場合には、前記青色レーザを用いて前記情報担体を起動する第２の起動処理を実行するステップと、前記情報担体が前記カートリッジに正しい向きで格納されていないと判定された場合には、エラー信号を出力するステップとをさらに包含してもよい。
【００２８】
前記第１の起動処理は、前記情報担体が単一層の構造を有しているか複数層の構造を有しているかを判定するステップと、前記情報担体が単一層の構造を有しているか複数層の構造を有しているか否かに応じた起動処理を実行するステップとを包含してもよい。
【００２９】
前記第２の起動処理は、前記青色レーザを用いて、前記情報担体が単一層の構造を有しているか複数層の構造を有しているかを判定するステップと、前記情報担体が単一層の構造を有しているか複数層の構造を有しているか否かに応じた起動処理を実行するステップとを包含してもよい。
【００３０】
前記情報担体が単一層の構造を有しているか複数層の構造を有しているかの判定は、前記青色レーザから出射された光ビームであって、前記情報担体によって反射された光ビームに基づいて生成されるフォーカスエラー信号の振幅に応じて行われてもよい。
【００３１】
前記ステップ（ｂ）は、前記青色レーザから出射された光ビームであって、前記情報担体によって反射された光ビームに基づいて生成されるフォーカスエラー信号の振幅を前記情報担体によって反射された前記光ビームに基づいて生成される全光量信号の振幅で正規化することにより正規化されたフォーカスエラー信号を生成するステップをさらに包含し、前記情報担体が前記カートリッジに正しい向きで格納されているか否かの判定は、前記正規化されたフォーカスエラー信号の振幅に応じて行われてもよい。
【００３２】
前記ステップ（ｂ）は、前記フォーカスエラー信号の振幅と前記全光量信号の振幅とが計測されている間、前記情報担体の回転を停止させるステップをさらに包含してもよい。
【００３３】
前記ステップ（ｂ）は、前記光ビームの収束点を前記情報担体から離れた位置に移動させるステップと、その位置から前記光ビームの収束点を除々に前記情報担体に近づけながら前記フォーカスエラー信号の振幅と前記全光量信号の振幅とを計測するステップと、前記フォーカスエラー信号の振幅と前記全光量信号の振幅の計測が終了した後に前記光ビームの収束点が前記情報担体から遠ざかるように前記光ビームの収束点を移動させるステップとをさらに包含してもよい。
【００３４】
前記ステップ（ｂ）は、前記情報担体が赤色レーザを用いて起動処理を実行すべき情報担体であるか否かを判定するステップと、前記情報担体が前記赤色レーザを用いて起動処理を実行すべき情報担体であると判定された場合には、前記赤色レーザを用いて前記情報担体に応じた起動処理を実行してもよい。
【００３５】
前記情報担体が赤色レーザを用いて起動処理を実行すべき情報担体であるか否かの判定は、前記赤色レーザから出射された光ビームであって、前記情報担体によって反射された光ビームに基づいて生成されるフォーカスエラー信号の振幅に応じて行われてもよい。
【００３６】
前記ステップ（ｂ）は、前記フォーカスエラー信号の振幅が計測されている間、前記情報担体の回転を停止させるステップを包含してもよい。
【００３７】
前記ステップ（ｂ）は、前記光ビームの収束点を前記情報担体から離れた位置に移動させるステップと、その位置から前記光ビームの収束点を除々に前記情報担体に近づけながら前記フォーカスエラー信号の振幅を計測するステップと、前記フォーカスエラー信号の振幅の計測が終了した後に前記光ビームの収束点が前記情報担体から遠ざかるように前記光ビームの収束点を移動させるステップとを包含してもよい。
【００３８】
前記ステップ（ｂ）は、前記情報担体が前記赤色レーザを用いて起動処理を実行すべき情報担体でないと判定された場合には、前記情報担体が、赤外レーザを用いて起動処理を実行すべき情報担体であるか否かを判定するステップと、前記情報担体が前記赤外レーザを用いて起動処理を実行すべき情報担体であると判定された場合には、前記赤外レーザを用いて前記情報担体に応じた起動処理を実行するステップとをさらに包含してもよい。
【００３９】
前記ステップ（ｂ）は、前記情報担体が赤外レーザを用いて起動処理を実行すべき情報担体であるか否かを判定するステップと、前記情報担体が前記赤外レーザを用いて起動処理を実行すべき情報担体であると判定された場合には、前記赤外レーザを用いて前記情報担体に応じた起動処理を実行するステップとを包含してもよい。
【００４０】
前記情報担体が赤外レーザを用いて起動処理を実行すべき情報担体であるか否かの判定は、前記赤外レーザから出射された光ビームであって、前記情報担体によって反射された光ビームに基づいて生成されるフォーカスエラー信号の振幅に応じて行われてもよい。
【００４１】
前記ステップ（ｂ）は、前記フォーカスエラー信号の振幅が計測されている間、前記情報担体の回転を停止させるステップを包含してもよい。
【００４２】
前記ステップ（ｂ）は、前記光ビームの収束点を前記情報担体から離れた位置に移動させるステップと、その位置から前記光ビームの収束点を除々に前記情報担体に近づけながら前記フォーカスエラー信号の振幅を計測するステップと、前記フォーカスエラー信号の振幅の計測が終了した後に前記光ビームの収束点が前記情報担体から遠ざかるように前記光ビームの収束点を移動させるステップとを包含してもよい。
【００４３】
前記ステップ（ｂ）は、前記情報担体が前記赤外レーザを用いて起動処理を実行すべき情報担体でないと判定された場合には、前記情報担体が赤色レーザを用いて起動処理を実行すべき情報担体であるか否かを判定するステップと、前記情報担体が前記赤色レーザを用いて起動処理を実行すべき情報担体であると判定された場合には、前記赤色レーザを用いて前記情報担体に応じた起動処理を実行するステップとを包含してもよい。
【００４４】
前記ステップ（ｂ）は、前記情報担体が前記カートリッジに格納されていない裸の情報担体である場合には、前記情報担体が前記青色レーザ以外のレーザを用いて起動処理を実行すべき情報担体であるか否かを判定するステップをさらに包含してもよい。
【発明の効果】
【００４５】
本発明の情報担体装置および情報担体起動方法によれば、ＤＶＤディスクやＣＤディスクのように赤色レーザや赤外レーザを用いて記録または再生を行う既存の光ディスクに青色レーザを照射することがなく、また、光ディスクの種類を判別する際にレンズを光ディスクに接触させることがないため、光ディスクに傷をつけたり、記録データを破壊したりすることを回避することができる。さらに、カートリッジスイッチを用いて、光ディスクの種類の判別を高い信頼性で行うことができ、かつ、光ディスクの起動処理を高速に実行することができる。
【発明を実施するための最良の形態】
【００４６】
以下、本発明の実施の形態を図面を参照しながら詳細に説明する。
【００４７】
（実施の形態１）
図１は、本発明の実施の形態１の光ディスク装置の構成を示すブロック図である。
【００４８】
本発明の光ディスク装置は、カートリッジ１０２に格納された光ディスク１０１を所定の回転数で回転させるためのディスクモータ制御部１２３と、ディスクモータ駆動回路１２４と、ディスクモータ１０５と、光ディスク１０１からの情報を再生するための光ヘッド１０３と、光ヘッド１０３全体を光ディスク１０１のトラックの方向に対して垂直な方向に移動させるためのトラバースモータ（図示せず）とを備える。ディスクモータ制御部１２３は、デジタルシグナルプロセッサ（ＤＳＰ）１２５内に設けられている。
【００４９】
光ヘッド１０３は、半導体レーザなどの青色レーザ光源１０４、赤色レーザ光源１２６、赤外レーザ光源１２７と、カップリングレンズと、球面収差補正レンズと、偏光ビームスプリッタと、偏光板と、収束レンズと、集光レンズと、分割ミラーと、フォトディテクタとを含む。図１では、光ヘッド１０３の構成要素のうち、光源１０４、１２６、１２７以外の構成要素の図示を省略している。
【００５０】
光ヘッド１０３は、青色レーザ光源１０４、赤色レーザ光源１２６、赤外レーザ光源１２７の中から選択された１つの光源からの光ビームを出射する。光源選択部１１１によって、３つの光源のうちの１つが選択され、レーザ制御部１１２、レーザ駆動回路１１３によって、その選択された光源のレーザパワーが所定のレーザパワーに調整される。光源選択部１１１、レーザ制御部１１２は、ＤＳＰ１２５内に設けられている。
【００５１】
光ヘッド１０３から出射された光ビームは、カップリングレンズによって平行光にされた後、球面収差補正レンズを通過し、偏光ビームスプリッタによって反射され、偏光板を通過し、収束レンズによって光ディスク１０１の表面に収束される。
【００５２】
球面収差補正レンズは、球面収差補正制御部１２８、球面収差補正駆動回路１２９によって駆動される。これにより、光ディスク１０１の基材厚の違いにより発生する球面収差を補正することができる。球面収差補正制御部１２８は、ＤＳＰ１２５内に設けられている。
【００５３】
このようにして、ディスクモータ１０５によって回転している光ディスク１０１の厚さ方向にフォーカス点をもつように光ビームスポットが形成される。
【００５４】
光ディスク１０１からの反射光は、収束レンズ、偏光板、偏光ビームスプリッタ、集光レンズを通過し、分割ミラーで２方向の光ビームに分割される。
【００５５】
分割ミラーにより２方向に分割された光ビームのうち一方は、光ヘッド１０３内の４分割構造を有するフォトディテクタを介して、フォーカス制御装置に入力される。
【００５６】
フォーカス制御装置は、フォーカスエラー信号生成部１０８と、ＤＳＰ１２５と、フォーカス駆動回路１１６と、フォーカスアクチュエータ（図示せず）とを含む。
【００５７】
フォーカスエラー信号生成部１０８は、光ヘッド１０３内の４分割構造を有するフォトディテクタからの４つの出力信号のうち、対角に位置する２つの受光部からの２つの出力信号を加算する第１の加算部（図示せず）と、４つの出力信号のうち残りの２つの出力信号を加算する第２の加算部（図示せず）と、第１の加算器からの出力信号と第２の加算器からの出力信号との差分に基づいてフォーカスエラー信号（ＦＥ信号）を生成する差動増幅器（図示せず）とを含む。ＦＥ信号は、光ビームの収束点と光ディスク１０１との位置ずれを示す。このようなＦＥ信号の検出方法は、「非点収差法」と呼ばれている。ＦＥ信号は、ＤＳＰ１２５に入力される。
【００５８】
ＤＳＰ１２５には、スイッチ１１５が設けられている。スイッチ１１５は、フォーカス制御を行う必要がある場合には、図１において実線で示された位置に設定される。
【００５９】
ＤＳＰ１２５に入力されたＦＥ信号は、フォーカス制御部１１４に入力される。フォーカス制御部１１４は、例えば、ＡＤ変換器（図示せず）と、フォーカス制御系の位相を補償する加算器（図示せず）と、乗算器および遅延器によって構成されたデジタルフィルタである補償フィルタ（図示せず）と、フォーカス制御系のループゲインを切り換えるゲイン切り換え回路（図示せず）と、ＤＡ変換器（図示せず）とを含む。フォーカス制御部１１４の出力信号は、スイッチ１１５を介して、フォーカス駆動回路１１６に入力される。フォーカス駆動回路１１６は、ＤＳＰ１２５からの出力信号を電流増幅し、レベル変換してフォーカスアクチュエータを駆動する。フォーカスアクチュエータは、光ディスク１０１上の光ビームが常に所定の収束状態となるように駆動される。その結果、フォーカス制御が実現される。
【００６０】
全光量信号生成部１３４は、光ヘッド１０３内の４分割構造を有するフォトディテクタからの４つの出力信号を加算することにより、全光量信号（ＡＳ信号）を生成する加算部（図示せず）を含む。ＡＳ信号は、ＤＳＰ１２５に入力される。
【００６１】
一方、分割ミラーにより２方向に分割された光ビームのうちのもう一方は、光ヘッド１０３内の４分割構造を有するフォトディテクタを介して、トラッキング制御装置に入力される。
【００６２】
トラッキング制御装置は、トラッキングエラー信号生成部１０９と、ＤＳＰ１２５と、トラッキング駆動回路１２２と、トラッキングアクチュエータ（図示せず）とを含む。
【００６３】
トラッキングエラー信号生成部１０９は、光ヘッド１０３内の４分割構造を有するフォトディテクタからの４つの出力信号のうち、トラックに対して内周側に位置する２つの受光部からの２つの出力信号を加算する第１の加算部（図示せず）と、その４つの出力信号のうち、トラックに対して外周側に位置する２つの受光部からの２つの出力信号を加算する第２の加算部（図示せず）と、第１の加算部からの出力信号から第２の加算部からの出力信号を減算することにより、トラッキングエラー信号（ＴＥ信号）を生成する減算器（図示せず）とを含む。ＴＥ信号は、光ビームの収束点と走査されるべきトラックとの位置ずれを示す。このようなＴＥ信号の検出方法は、「プッシュプル法」と呼ばれている。ＴＥ信号は、ＤＳＰ１２５に入力される。
【００６４】
ＤＳＰ１２５に入力されたＴＥ信号は、トラッキング制御部１２１に入力される。トラッキング制御部１２１は、ＡＤ変換器（図示せず）と、トラッキング制御系の位相を補償する加算器（図示せず）と、乗算器および遅延器によって構成されたデジタルフィルタである補償フィルタ（図示せず）と、トラッキング制御系のループゲインを切り換えるゲイン切り換え回路（図示せず）と、ＤＡ変換器（図示せず）とを含む。トラッキング制御部１２１の出力信号は、トラッキング駆動回路１２２に入力される。トラッキング駆動回路１２２は、ＤＳＰ１２５からの出力信号を電流増幅、レベル変換してトラッキングアクチュエータを駆動する。トラッキングアクチュエータは、光ディスク１０１上の光ビームの収束点が所定のトラックを走査するように駆動される。その結果、トラッキング制御が実現される。
【００６５】
なお、トラッキング制御と同時に、光ビームの収束点と収束レンズの中心とが一致するように（すなわち、光ディスク１０１に照射される光ビームの光軸と収束レンズの光軸とが一致するように）トラバースモータを駆動する移送制御が行われるが、ここではその説明を省略する。
【００６６】
以下、図１および図２を参照して、光ディスク装置に装着されている光ディスク１０１の種類が既知である場合における光ディスク１０１の起動処理の手順を説明する。ここでは、光ディスク１０１は単層ディスクであると仮定する。
【００６７】
ステップＳ２０１において、光ディスク装置に装着されている光ディスク１０１の種類に応じた光源やレーザパワー、球面収差補正量、フォーカスエラー信号生成部１０８のゲインおよびトラッキング信号生成部１０９のゲインなどが設定される。
【００６８】
ステップＳ２０２において、フォーカス制御系やトラッキング制御系などのオフセットが調整される。
【００６９】
ステップＳ２０３において、所望のレーザ制御がオンにされる。例えば、光ディスク装置に装着された光ディスク１０１がＤＶＤディスクである場合には、赤色レーザの制御がオンにされ、それがＣＤディスクである場合には赤外レーザの制御がオンにされ、Ｂｌｕ−ｒａｙディスクである場合には青色レーザの制御がオンにされる。
【００７０】
ステップＳ２０４において、ディスクモータ制御がオンにされる。その結果、ディスクモータ駆動回路１２４は、光ディスク１０１を所定の回転数で回転させるようにディスクモータ１０５を制御する。
【００７１】
ステップＳ２０５において、フォーカス制御が開始される。
【００７２】
ステップＳ２０６において、フォーカス制御がオン状態、かつ、トラッキング制御がオフ状態における各種調整（フォーカス位置粗調整、トラッキング位置（対称性）調整など）が行われる。
【００７３】
ステップＳ２０７において、トラッキング制御が開始される。
【００７４】
ステップＳ２０８において、トラッキング制御がオン状態における各種調整（フォーカス制御系およびトラッキング制御系のループゲイン調整、フォーカス位置精調整など）が行われる。
【００７５】
ステップＳ２０９において、所定のトラックへのシークが行われ、その所定のトラックにて次の処理の待機状態に入り、起動処理が完了する。この後、必要に応じて、光ディスク１０１に対する再生動作または記録動作が行われることになる。
【００７６】
なお、光ディスク装置に装着されている光ディスク１０１が複数の情報面（層）を有している場合には、ステップＳ２０８の後、現在フォーカス制御が行われている情報面から隣接した別の情報面へ光ビームの収束点を移動するフォーカスジャンプ動作が行われる。その情報面における記録動作または再生動作が最良となるようにステップＳ２０６およびステップＳ２０８において各種調整が実行される。
【００７７】
以下、図１および図３を参照して、光ディスク装置に装着されている光ディスク１０１の種類が未知である場合における光ディスク１０１の起動処理の手順を説明する。
【００７８】
光ディスク１０１を格納しているカートリッジ１０２には、カートリッジ１０２が開けられたことがあるか否かを判定するために使用される穴１（ホール１）と、カートリッジ１０２に格納されている光ディスク１０１が単層ディスクか２層ディスクかを判定するために使用される穴２（ホール２）とが所定の位置に設けられている。その所定の位置は、例えば、規格により決められている。
【００７９】
ホール１は、最初は、穴がふさがれた状態である。カートリッジ１０２に格納されている光ディスク１０１を取り出すためにカートリッジ１０２を開けた場合には、ホール１は、穴が開いた状態になる。ホール１については、穴がふさがれた状態から穴が開いた状態への変化は不可逆的であり、いったん穴がふさがれた状態から穴が開いた状態に変化すると、ホール１は、２度と元の状態（すなわち、穴がふさがれた状態）に戻ることができない。
【００８０】
ホール１の状態（すなわち、穴がふさがれた状態か、穴が開いた状態か）を検出するために、光ディスク装置には、スイッチ１０６が設けられている。スイッチ１０６のオンオフを判定することにより、カートリッジ１０２が開けられたことがあるか否かを判定することができる。すなわち、カートリッジ１０２が開けられたことがない場合には、ホール１は穴がふさがれた状態であるため、スイッチ１０６はオンになる。カートリッジ１０２が開けられたことがある場合には、ホール１は穴が開いた状態であるため、スイッチ１０６はオフになる。
【００８１】
また、ホール２は、カートリッジ１０２に単層ディスクが格納されている場合には、穴がふさがれた状態であり、カートリッジ１０２に２層ディスクが格納されている場合には、穴が開いた状態である。
【００８２】
ホール２の状態（すなわち、穴がふさがれた状態か、穴が開いた状態か）を検出するために、光ディスク装置には、スイッチ１０７が設けられている。スイッチ１０７のオンオフを判定することにより、カートリッジ１０２に格納されている光ディスク１０１が単層ディスクであるか２層ディスクであるかを判定することができる。すなわち、カートリッジ１０２に格納されている光ディスク１０１が単層ディスクである場合には、ホール２は穴がふさがれた状態であるため、スイッチ１０７はオンになる。カートリッジ１０２に格納されている光ディスク１０１が２層ディスクである場合には、ホール２は穴が開いた状態であるため、スイッチ１０７はオフになる。
【００８３】
スイッチ１０６、１０７は、任意の方法で実現され得る。例えば、フォトダイオードとフォトディテクタとを用いてスイッチ１０６、１０７を光学的なスイッチとして実現してもよいし、スイッチ１０６、１０７を機械的なスイッチとして実現してもよい。
【００８４】
スイッチ１０６、スイッチ１０７の出力は、カートリッジ状態検出部１１０に入力される。カートリッジ状態検出部１１０は、カートリッジ１０２に設けられているホール１、ホール２の状態を検出し、その検出された状態に応じて、光ディスク１０１の起動処理（光ディスク１０１に対して使用する光源や球面収差補正量など）を切り換える。
【００８５】
図１に示される例では、ＤＳＰ１２５内のＲＯＭに、ＤＶＤディスク用のＤＶＤディスク起動テーブル１３０と、ＣＤディスク用のＣＤディスク起動テーブル１３１と、Ｂｌｕ−ｒａｙ単層ディスク用のＢｌｕ−ｒａｙ単層ディスク起動テーブル１３２と、Ｂｌｕ−ｒａｙ２層ディスク用のＢｌｕ−ｒａｙ２層ディスク起動テーブル１３３とが格納されている。カートリッジ状態検出部１１０は、これら４つの起動テーブルのうちのいずれかを選択することにより、光ディスク１０１の起動処理を切り換えるように構成されている。
【００８６】
図３を参照して、光ディスク１０１の起動処理の手順を説明する。
【００８７】
ステップＳ３０１において、スイッチ１０６のオンオフが判定される。このような判定は、カートリッジ状態検出部１１０によって行われる。
【００８８】
スイッチ１０６がオンであると判定された場合には、カートリッジ１０２は開けられたことがないため、カートリッジ１０２に格納されている光ディスク１０１はＢｌｕ−ｒａｙディスク以外にはあり得ない。従って、スイッチ１０６がオンであると判定された場合（すなわち、カートリッジ１０２が開けられたことがないと判定された場合）には、青色レーザを用いてＢｌｕ−ｒａｙディスクを起動する第１の起動処理（ステップＳ３０２〜Ｓ３１３）が実行される。
【００８９】
ステップＳ３０２において、青色レーザが選択される。このような選択は、光源選択部１１１が青色レーザ光源１０４を選択することによって達成される。青色レーザが選択される理由は、Ｂｌｕ−ｒａｙディスクは青色レーザを用いて記録動作または再生動作が行われるからである。
【００９０】
ステップＳ３０３において、スイッチ１０７のオンオフが判定される。このような判定は、カートリッジ状態検出部１１０によって行われる。
【００９１】
スイッチ１０７がオンであると判定された場合には、カートリッジ１０２に格納されているＢｌｕ−ｒａｙディスクは単層ディスクであるため、ステップＳ３０４においてＢｌｕ−ｒａｙ単層ディスク起動テーブルが選択され、単層ディスク用のレーザパワーや球面収差補正量やフォーカスエラー信号生成部１０８およびトラッキング信号生成部１０９のゲインなどが設定される。
【００９２】
スイッチ１０７がオフであると判定された場合には、カートリッジ１０２に格納されているＢｌｕ−ｒａｙディスクは２層ディスクであるため、ステップＳ３０５においてＢｌｕ−ｒａｙ２層ディスク起動テーブル１３３が選択され、２層ディスク用の各種設定が行われる。
【００９３】
なお、２層ディスクの代わりに、もしくは、２層ディスクに加えて、３層以上の複数の層の構造を有する光ディスク１０１の起動処理を実行するようにしてもよい。この場合、光ディスク１０１の複数の層の数は、カートリッジ１０２に設けられた複数のホール（例えば、ホール２、ホール３、ホール４の３つのホール）の開閉状態の組み合わせに応じて決定され得る。
【００９４】
ステップＳ３０６においてフォーカス制御系やトラッキング制御系などのオフセットが調整され、ステップＳ３０７において青色レーザの制御がオンにされ、ステップＳ３０８においてディスクモータ制御がオンにされる。その結果、ディスクモータ駆動回路１２４は、光ディスク１０１を所定の回転数で回転させるようにディスクモータ１０５を制御する。
【００９５】
さらに、ステップＳ３０９においてフォーカス制御が開始され、ステップＳ３１０においてフォーカス制御がオン状態、かつ、トラッキング制御がオフ状態における各種調整（フォーカス位置粗調整、トラッキング位置（対称性）調整など）が行われる。ステップＳ３１１においてトラッキング制御が開始され、ステップＳ３１２においてトラッキング制御がオン状態における各種調整（フォーカス制御系およびトラッキング制御系のループゲイン調整、フォーカス位置精調整など）が行われる。
【００９６】
ステップＳ３１３において、所定のトラックへシークが行われ、その所定のトラックにて次の処理の待機状態に入り、起動処理が完了する。この後、必要に応じて、光ディスク１０１に対する再生動作または記録動作が行われることになる。
【００９７】
なお、ステップＳ３０３においてカートリッジ１０２に格納されているＢｌｕ−ｒａｙディスクは２層ディスクであると判定された場合には、ステップＳ３１２の後、現在フォーカス制御が行われている情報面から隣接した別の情報面へ光ビームの収束点を移動するフォーカスジャンプ動作が行われる。その情報面における記録動作または再生動作が最良となるようにステップＳ３１０およびステップＳ３１２で行われる各種調整が実行される。
【００９８】
以上説明したように、カートリッジ１０２が一度も開けられたことがないと判定された場合には、光ディスク１０１の種類がＢｌｕ−ｒａｙディスクであるとただちに判別することができ、青色レーザを用いてＢｌｕ−ｒａｙディスクの起動処理をただちに実行することができる。これにより、光ディスクの種類の判別を高い信頼性で行うことができ、かつ、光ディスクの起動処理を高速に実行することが可能になる。
【００９９】
さらに、スイッチ１０７のオンオフを判定することにより、Ｂｌｕ−ｒａｙディスクが単層ディスクであるか２層ディスクであるかを判定することができる。この場合には、Ｂｌｕ−ｒａｙディスクが単層ディスクであるか２層ディスクであるかを判定するために、青色レーザをＢｌｕ−ｒａｙディスクに照射する必要がない。これにより、光ディスクの種類の判別を高い信頼性で行うことができ、かつ、光ディスクの起動処理を高速に実行することが可能になる。
【０１００】
ステップＳ３０１において、スイッチ１０６がオフであると判定された場合には、カートリッジ１０２は開けられたことがあるため、カートリッジ１０２に格納されている光ディスク１０１は、Ｂｌｕ−ｒａｙディスク以外のＤＶＤディスクやＣＤディスクの可能性がある。また、また、カートリッジ１０２に格納されている光ディスク１０１がＢｌｕ−ｒａｙディスクである場合でも、そのＢｌｕ−ｒａｙディスクの表裏が逆向きにカートリッジ１０２に格納されている可能性もある。さらに、カートリッジ１０２がホール２がふさがれている状態である単層Ｂｌｕ−ｒａｙディスク用のカートリッジである場合でも、カートリッジ１０２に２層Ｂｌｕ−ｒａｙディスクが格納されている可能性もある。
【０１０１】
ＤＶＤディスクやＣＤディスクのように赤色レーザや赤外レーザを用いて記録または再生を行う既存の光ディスクに対して青色レーザを照射すると、最悪記録データを破壊する可能性がある。このため、カートリッジ１０２が開けられたことがあると判定された場合には、光ディスク１０１が、青色レーザ以外のレーザを用いて起動処理を実行すべきディスクであるか否かが判定される（ステップＳ３１４〜Ｓ３２１）。
【０１０２】
ステップＳ３１４において、赤色レーザが選択される。このような選択は、光源選択部１１１が赤色レーザ光源１２６を選択することによって達成される。赤色レーザが選択される理由は、ＤＶＤディスクは赤色レーザを用いて記録動作または再生動作が行われるからである。
【０１０３】
ステップＳ３１５において、赤色レーザを用いたディスク判別処理が実行される。
【０１０４】
ＤＳＰ１２５に入力されたＦＥ信号は、フォーカス制御部１１４に入力されると共にディスク判別部１２０にも入力される。また、ＡＳ信号もディスク判別部１２０に入力される。
【０１０５】
ディスク判別部１２０は、入力されたＦＥ信号の振幅を計測するＦＥ振幅計測部１１７と、ＦＥ振幅計測部１１７によって計測されたＦＥ信号の振幅と所定値とを比較するＦＥ振幅比較部１１８と、入力されたＡＳ信号の振幅を計測するＡＳ振幅計測部１３５と、ＦＥ振幅計測部１１７によって計測されたＦＥ信号の振幅をＡＳ振幅計測部１３５によって計測されたＡＳ信号の振幅で正規化することにより正規化されたＦＥ信号の振幅を算出する正規化演算部１３６と、正規化演算部１３６によって算出された正規化されたＦＥ信号の振幅と所定値とを比較する正規化ＦＥ振幅比較部１３７と、フォーカスアクチュエータを上下に移動させるための駆動信号を生成する上昇／下降駆動信号生成部１１９とを含む。
【０１０６】
赤色レーザを用いたディスク判別処理（Ｓ３１５）の実行時には、スイッチ１１５は、図１において点線で示された位置に設定されているため、上昇／下降駆動信号生成部１１９の出力信号が、フォーカス駆動回路１１６を介して、フォーカスアクチュエータを駆動することになる。
【０１０７】
次に、図４を参照しながら、赤色レーザを用いたディスク判別処理（Ｓ３１５）におけるディスク判別部１２０の動作（振幅計測動作）を説明する。
【０１０８】
図４は、フォーカスアクチュエータを上下に移動させた際に得られるＦＥ信号の波形を示す。図４（ａ）は単層ディスクの場合を示し、図４（ｂ）は２層ディスクの場合を示す。
【０１０９】
フォーカスアクチュエータを上下に移動させると、光ディスク１０１の表面による反射光や、情報面による反射光により、表面や情報面近傍でＳ字状の波形がＦＥ信号に現れる。このＳ字波形の振幅は、光ディスク１０１の反射率や収差などにより、赤色レーザを照射した際はＤＶＤディスクが、赤外レーザを照射した際はＣＤディスクが、青色レーザを照射した際はＢｌｕ−ｒａｙディスクが最も振幅が得られる。
【０１１０】
さらに、単層ディスクと２層ディスクとでは、単層ディスクの方が反射率が高いため、２層ディスクと比較してより大きなＳ字振幅となる。
【０１１１】
振幅計測動作において、ディスク判別部１２０は、光ビームの収束点を光ディスク１０１から離れた位置に移動させ、その位置から光ビームの収束点を徐々に光ディスク１０１に近づけながらＦＥ信号の振幅を計測し、ＦＥ信号の振幅の計測が終了した後に光ビームの収束点が光ディスク１０１から遠ざかるように光ビームの収束点を移動させる。このような振幅計測動作は、例えば、上昇／下降駆動信号生成部１１９が下降方向の駆動信号を出力することにより、フォーカスアクチュエータ（収束レンズ）を光ディスク１０１から十分に離れた位置に移動させ、その後、光ビームの収束点が徐々に光ディスク１０１に近づけるように上昇／下降駆動信号生成部１１９が上昇方向の駆動信号を出力すると共に、ＦＥ振幅計測部１１７がＦＥ信号の振幅の計測を開始し、計測したＦＥ信号の最大値および最小値を更新していくことにより達成される。
【０１１２】
フォーカスアクチュエータ（収束レンズ）が上昇するにつれてＦＥ信号にＳ字波形が現れるため、ＦＥ振幅計測部１１７はこのＳ字波形の振幅を測定することになる。ここで、単層ディスクにおいては情報面の反射光によるＳ字波形、２層ディスクにおいては光ヘッド１０３から遠い奥の情報面の反射光によるＳ字波形出現後、ＦＥ振幅計測部１１７における計測値は更新されないため、ＦＥ振幅計測部１１７における計測値が一定時間更新されなくなると、上昇／下降駆動信号生成部１１９は上昇方向の駆動信号の出力を停止し、逆に下降方向の駆動信号の出力を開始する。
【０１１３】
このようにフォーカスアクチュエータを駆動することにより、収束レンズが光ディスク１０１に衝突することを回避することが可能になる。
【０１１４】
さらに、ＦＥ信号の振幅が計測されている間、光ディスク１０１の回転を停止させることにより、万一、収束レンズが光ディスク１０１に衝突しても、その衝突が光ディスク１０１に与える影響を低減することが可能になる。このような制御は、例えば、上昇／下降駆動信号生成部１１９が駆動信号を出力している間、ディスクモータ１０５を停止状態にしておくことにより達成される。
【０１１５】
ステップＳ３１６において、カートリッジ１０２に格納されている光ディスク１０１がＤＶＤディスク（すなわち、赤色レーザを用いて起動処理を実行すべきディスク）であるか否かが判定される。
【０１１６】
ＦＥ振幅計測部１１７によって計測されたＦＥ信号の振幅が所定値以上である場合には、光ディスク１０１はＤＶＤディスクであると判定される。この場合には、ステップＳ３１７においてＤＶＤディスク起動テーブル１３０が選択され、ＤＶＤディスクの起動処理が実行される。
【０１１７】
なお、ＤＶＤディスクの起動処理において、ＤＶＤディスクの種類を判別する（例えば、ＤＶＤディスクが、ＤＶＤ−ＲＯＭであるかＤＶＤ−ＲＡＭであるかを判別する）必要がある。しかし、ＤＶＤディスクの種類を判別する方法やＤＶＤディスクの種類に応じた起動処理は公知である。従って、ここではその説明を省略する。
【０１１８】
ＦＥ振幅計測部１１７によって計測されたＦＥ信号の振幅が所定値より小さい場合には、光ディスク１０１はＤＶＤディスクではない（すなわち、ＤＶＤディスク以外のディスクである）と判定される。この場合には、ステップＳ３１８において赤外レーザが選択され、Ｓ３１９において赤外レーザを用いたディスク判別処理が実行される。
【０１１９】
赤外レーザを用いたディスク判別処理（Ｓ３１９）におけるディスク判別部１２０の動作（振幅計測動作）は、赤色レーザの代わりに赤外レーザを用いることを除いて、赤色レーザを用いたディスク判別処理（Ｓ３１５）におけるディスク判別部１２０の動作（振幅計測動作）と同様であるため、ここではその説明を省略する。
【０１２０】
ステップＳ３２０において、カートリッジ１０２に格納されている光ディスク１０１がＣＤディスク（すなわち、赤外レーザを用いて起動処理を実行すべきディスク）であるか否かが判定される。
【０１２１】
ＦＥ振幅計測部１１７によって計測されたＦＥ信号の振幅が所定値以上である場合には、光ディスク１０１はＣＤディスクであると判定される。この場合には、ステップＳ３２１においてＣＤディスク起動テーブル１３１が選択され、ＣＤディスクの起動処理が実行される。
【０１２２】
なお、ＣＤディスクの起動処理において、ＣＤディスクの種類を判別する（例えば、ＣＤディスクが、ＣＤ−ＲであるかＣＤ−ＲＷであるかを判別する）必要がある。しかし、ＣＤディスクの種類を判別する方法やＣＤディスクの種類に応じた起動処理は公知である。従って、ここではその説明を省略する。
【０１２３】
カートリッジ１０２に格納されている光ディスク１０１がＤＶＤディスクでもなく、かつ、ＣＤディスクでもないと判定された場合（すなわち、ステップＳ３２０でＮｏの場合）には、カートリッジ１０２に格納されている光ディスク１０１が赤色レーザや赤外レーザを用いて記録または再生を行う既存の光ディスクである可能性はない。
【０１２４】
ステップＳ３２２において、青色レーザが選択される。このような選択は、光源選択部１１１が青色レーザ光源１０４を選択することによって達成される。
【０１２５】
ステップＳ３２３において、青色レーザを用いたディスク判別処理が実行される。ただし、この段階では、カートリッジ１０２に格納されている光ディスク１０１が、その表裏が逆向きの状態でカートリッジ１０２に格納されているディスクである可能性もある。従って、ステップＳ３２３において、光ディスク１０１が正しい向きでカートリッジ１０２に格納されているか否かが判定される。
【０１２６】
青色レーザを用いたディスク判別処理（Ｓ３２３）におけるディスク判別部１２０の動作（振幅計測動作）は、赤色レーザまたは赤外レーザの代わりに青色レーザを用いることを除いて、赤色レーザを用いたディスク判別処理（Ｓ３１５）または赤外レーザを用いたディスク判別処理（Ｓ３１９）におけるディスク判別部１２０の動作（振幅計測動作）と同様である。ただし、青色レーザを用いたディスク判別処理（Ｓ３２３）では、カートリッジ１０２に格納されている光ディスク１０１が、その表裏が逆向きの状態でカートリッジ１０２に格納されているディスクであるか否かを判定するために、ＦＥ信号の振幅を計測するのと同時にＡＳ信号の振幅も計測する。
【０１２７】
さらに、ＦＥ信号の振幅とＡＳ信号の振幅とが計測されている間、光ディスク１０１の回転を停止させるようにしてもよい。これにより、万一、収束レンズが光ディスク１０１に衝突しても、その衝突が光ディスク１０１に与える影響を低減することが可能になる。
【０１２８】
その表裏が逆向きの状態でカートリッジ１０２に格納されているディスクは、レーベル面の表面反射によるＳ字波形およびＡＳ波形のみが検出されるが、レーベル面の反射率はディスクの種類によって大きくばらつくため、ＦＥ信号の振幅のみではＢｌｕ−ｒａｙディスクと区別することが不可能である。
【０１２９】
図６は、フォーカスアクチュエータを上下に移動させた際に得られるＦＥ信号、ＡＳ信号、およびＡＳ信号で正規化したＦＥ信号の波形を示す。図６（ａ）は単層Ｂｌｕ−ｒａｙディスクの場合を示し、図６（ｂ）はその表裏が逆向きの状態でカートリッジ１０２に格納されているディスクの場合を示す。
【０１３０】
青色レーザでは、光ディスク１０１の基材厚の違いにより発生する球面収差の影響が青色レーザ以外のレーザに比べて大きく、球面収差がずれている場合、球面収差がずれていない場合と比較して、ＡＳ信号の振幅の劣化よりＦＥ信号の振幅の劣化が大きいという特性がある。そのディスクが表裏が逆向きの状態でカートリッジ１０２に格納されている場合には、Ｂｌｕ−ｒａｙディスクが正しい向きでカートリッジ１０２に格納されている場合と比較して、基材厚が約０．１ｍｍずれたことになるため、表面反射によるＳ字波形の振幅がＢｌｕ−ｒａｙディスクの記録膜によるＳ字波形の振幅と同じであっても、正規化されたＦＥ信号の振幅では差がでることになる。すなわち、Ｂｌｕ−ｒａｙディスクが正しい向きでカートリッジ１０２に格納されている場合に得られる正規化されたＦＥ信号の振幅と比較して、そのディスクが表裏が逆向きの状態でカートリッジ１０２に格納されている場合に得られる正規化されたＦＥ信号の振幅は小さくなる。その理由は、正規化により、反射率の差が吸収されて、球面収差の影響のみが残ることになるからである。
【０１３１】
なお、青色レーザを用いてディスク判別処理を行う際には、２層Ｂｌｕ−ｒａｙディスク用のレーザパワーにて単層Ｂｌｕ−ｒａｙディスクに青色レーザを照射すると、記録データが破壊される（再生光劣化）可能性があるため、レーザパワー含めすべての設定を単層用設定にして行う。
【０１３２】
ステップＳ３２４において、正規化演算部１３６によって算出された正規化されたＦＥ信号の振幅が所定値以下である場合には、カートリッジ１０２に格納されている光ディスク１０１は、Ｂｌｕ−ｒａｙディスク以外のディスクであると判定される。ここで、光ディスク１０１がその表裏が逆向きの状態でカートリッジ１０２に格納されている場合にも、ステップＳ３２４ではＮｏと判定される。この場合、起動処理はエラー終了することとなる。
【０１３３】
ステップＳ３２４においてＹｅｓと判定された場合には、Ｂｌｕ−ｒａｙディスクが正しい向きでカートリッジ１０２に格納されていることになる。従って、青色レーザを用いてＢｌｅ−ｒａｙディスクを起動する第２の起動処理（Ｓ３２５、Ｓ３０４〜Ｓ３１３）が実行される。
【０１３４】
ステップ３２５において、ＦＥ振幅計測部１１７によって計測されたＦＥ信号の振幅が所定値以上である場合には、カートリッジ１０２に格納されている光ディスク１０１は、単層Ｂｌｕ−ｒａｙディスクであると判定される。この場合には、ステップＳ３０４およびステップＳ３０６〜ステップＳ３１３の処理を実行して、起動処理を完了する。この後、必要に応じて、光ディスク１０１に対する再生動作または記録動作が行われることになる。
【０１３５】
一方、ステップＳ３２５において、ＦＥ振幅計測部１１７によって計測されたＦＥ信号の振幅が所定値以下である場合には、カートリッジ１０２に格納されている光ディスク１０１は、２層Ｂｌｕ−ｒａｙディスクであると判定される。この場合には、ステップＳ３０５〜ステップＳ３１３の処理を実行した後、現在フォーカス制御が行われている情報面から隣接した別の情報面へ光ビームの収束点を移動するフォーカスジャンプ動作が行われる。その情報面における記録動作または再生動作が最良となるようにステップＳ３１０およびステップＳ３１２で行われる各種調整が実行される。
【０１３６】
以上説明したように、カートリッジ１０２が一度でも開けられた場合は、一旦青色レーザ以外のレーザを選択し、ＦＥ信号の振幅によるディスク判別を行うことにより、ＤＶＤディスクやＣＤディスクのように赤色レーザや赤外レーザを用いて記録または再生を行う既存の光ディスクが万が一、カートリッジ１０２に格納されていた場合でも、青色レーザの照射により記録データを破壊することなく、ディスクの種類に応じた起動処理を実行することができる。さらに、青色レーザによるディスク判別時にレーザパワー含め全て単層用設定にて行うことにより、単層ディスクに２層レーザパワーを照射することにより記録データを破壊してしまうことを回避することができる。また、そのディスクが表裏が逆になった状態でカートリッジ１０２に格納されているか否かも判定することができる。
【０１３７】
なお、本実施の形態においては、カートリッジ１０２が一度でも開けられた場合は、赤色レーザを選択し、ＤＶＤディスクを判別後、赤外レーザを選択し、ＣＤディスクを判別するような構成となっているが、まず赤外レーザを選択し、ＣＤディスクを判別後、赤色レーザを選択し、ＤＶＤディスクを判別するような構成としても同様の効果を得ることが可能である。
【０１３８】
（実施の形態２）
次に、本発明の実施の形態２を説明する。実施の形態２は、裸の光ディスク１０１の起動処理に関する。ここで、「裸の光ディスク」とは、その光ディスクがカートリッジに格納されていないという意味である。
【０１３９】
裸の光ディスク１０１の起動処理は、実施の形態１で説明したカートリッジ１０２が開けられたことがあると判定された場合における光ディスク１０１の起動処理と同様にして実現され得る。
【０１４０】
以下、図１および図５を参照して、光ディスク装置に装着されている光ディスク１０１が裸の光ディスクである場合における光ディスク１０１の起動処理の手順を説明する。
【０１４１】
ステップＳ５０１において、赤色レーザが選択される。このような選択は、光源選択部１１１が赤色レーザ光源１２６を選択することによって達成される。赤色レーザが選択される理由は、裸の光ディスク１０１はＤＶＤディスクやＣＤディスクの可能性が高いためである。
【０１４２】
ステップＳ５０２において、赤色レーザを用いたディスク判別処理が実行される。フォーカスアクチュエータの上下移動動作を含むＦＥ信号の振幅計測方法に関しては、実施の形態１と同様なため説明は省略する。
【０１４３】
ステップＳ５０３において、光ディスク１０１がＤＶＤディスク（すなわち、赤色レーザを用いて起動処理を実行すべきディスク）であるか否かが判定される。
【０１４４】
ＦＥ振幅計測部１１７によって計測された振幅が所定値以上の場合には、光ディスク１０１はＤＶＤディスクであると判定される。この場合には、ステップＳ５０４においてＤＶＤディスク起動テーブル１３０が選択され、ＤＶＤディスクの起動処理が実行される。ここで、ＤＶＤディスクの起動処理は、実施の形態１で説明した起動処理と概略同じなため、説明は省略する。
【０１４５】
ＦＥ振幅計測部１１７によって計測された振幅が所定値より小さい場合には、光ディスク１０１はＤＶＤディスクでない（すなわち、ＤＶＤディスク以外のディスクである）と判定される。この場合には、ステップＳ５０５において赤外レーザが選択され、ステップＳ５０６において赤外レーザを用いたディスク判別処理が実行される。ここで、フォーカスアクチュエータの上下移動動作を含むＦＥ信号の振幅計測方法に関しては、前述の赤色レーザによるものと同様なため説明は省略する。
【０１４６】
ステップＳ５０７において、光ディスク１０１がＣＤディスク（すなわち、赤外レーザを用いて起動処理を実行すべきディスク）であるか否かが判定される。
【０１４７】
ＦＥ振幅計測部１１７によって計測されたＦＥ信号の振幅が所定値以上である場合には、光ディスク１０１はＣＤディスクであると判定される。この場合には、ステップＳ５０８においてＣＤディスク起動テーブル１３１が選択され、ＣＤディスクの起動処理が実行される。ここで、ＣＤディスクの起動処理は、ＤＶＤディスク同様、前述の起動処理と概略同じなため、説明は省略する。
【０１４８】
この段階で、ＤＶＤディスクやＣＤディスクのように赤色レーザや赤外レーザを用いて記録または再生を行う既存の光ディスクである可能性はなくなったため、ステップＳ５０９において青色レーザが選択され、ステップＳ５１０において青色レーザを用いたディスク判別処理が実行される。フォーカスアクチュエータの上下移動動作を含むＦＥ信号の振幅計測方法およびＡＳ信号の振幅計測方法に関しては、実施の形態１の青色レーザによるものと同様なため説明は省略する。
【０１４９】
なお、青色レーザを用いてディスク判別を行う際には、実施の形態１同様、２層Ｂｌｕ−ｒａｙディスク用のレーザパワーにて単層Ｂｌｕ−ｒａｙディスクに青色レーザを照射すると、記録データが破壊される（再生光劣化）可能性があるため、レーザパワー含めすべての設定を単層用設定にして行う。
【０１５０】
ステップＳ５１１において、正規化演算部１３６によって算出された正規化されたＦＥ信号の振幅が所定値以下である場合には、光ディスク１０１は、Ｂｌｕ−ｒａｙディスク以外のディスクであると判定される。この場合、起動処理はエラー終了することとなる。
【０１５１】
ステップＳ５１２において、ＦＥ信号振幅計測部１１７によって計測されたＦＥ信号の振幅が所定値以上である場合には、光ディスク１０１は、単層Ｂｌｕ−ｒａｙディスクと判定される。この場合には、ステップＳ５１３およびステップＳ５１５からステップＳ５２２の処理を実行して、起動処理を完了する。この後、必要に応じて、光ディスク１０１に対する再生動作や記録動作が行われることになる。
【０１５２】
一方、ステップＳ５１２においてＦＥ振幅計測部１１７によって計測されたＦＥ信号の振幅が所定値以下である場合には、光ディスク１０１は、２層Ｂｌｕ−ｒａｙディスクであると判定される。この場合には、ステップＳ５１４からステップＳ５２２の処理を実行した後、現在フォーカス制御が行われている情報面から隣接した別の情報面へ光ビームの収束点を移動するフォーカスジャンプ動作が行われる。その情報面における記録動作または再生動作が最良となるようにステップＳ５１９およびステップＳ５２１で行われる各種調整が実行される。
【０１５３】
以上説明したように、裸の光ディスクが装着された場合は、一旦青色レーザ以外のレーザを選択し、ＦＥ信号の振幅によるディスク判別を行うことにより、ＤＶＤディスクやＣＤディスクのように赤色レーザや赤外レーザを用いて記録または再生を行う既存の光ディスクが装着されていた場合でも、青色レーザの照射により記録データを破壊することなく、ディスクの種類に応じた起動処理を実行することができる。さらに、青色レーザによるディスク判別時にレーザパワー含め全て単層用設定にて行うことにより、単層ディスクに２層レーザパワーを照射することにより記録データを破壊してしまうことを回避することができる。また、そのディスクが表裏が逆になった状態でカートリッジ１０２に格納されているか否かも判定することができる。
【０１５４】
なお、本実施の形態においては、まず赤色レーザを選択し、ＤＶＤディスクを判別後、赤外レーザを選択し、ＣＤディスクを判別するような構成となっているが、実施の形態１同様、まず赤外レーザを選択し、ＣＤディスクを判別後、赤色レーザを選択し、ＤＶＤディスクを判別するような構成としても同様の効果を得ることが可能である。
【０１５５】
なお、上述した実施の形態では、情報担体の一例として光ディスクを使用する例を説明してきたが、本発明はこれに限定されない。情報担体として、記録動作または再生動作を行うことが可能な任意の媒体を用いることが可能である。
【０１５６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１５７】
本発明にかかる光ディスク装置は、カートリッジスイッチによるディスク判別と光ディスクからの反射光によるディスク判別とを併用させることにより、高い信頼性を有するディスク判別方式を有し、青色レーザを搭載したＢｌｕ−ｒａｙディスクレコーダなどとして有用である。またレコーダに限らずＰＣドライブなどの用途にも応用できる。
【図面の簡単な説明】
【０１５８】
【図１】本発明の実施の形態１の光ディスク装置の構成を示すブロック図
【図２】光ディスク装置に装着されている光ディスクの種類が既知である場合における光ディスクの起動処理の手順を示すフローチャート
【図３】光ディスク装置に装着されている光ディスクの種類が未知である場合における光ディスクの起動処理の手順を示すフローチャート
【図４】フォーカスアクチュエータを上下に移動させた際に得られるＦＥ信号の波形を示す図
【図５】光ディスク装置に装着されている光ディスクが裸の光ディスクである場合における光ディスクの起動処理の手順を示すフローチャート
【図６】フォーカスアクチュエータを上下に移動させた際に得られるＦＥ信号、ＡＳ信号、およびＡＳ信号で正規化したＦＥ信号の波形を示す図
【符号の説明】
【０１５９】
１０１    光ディスク
１０２    カートリッジ
１０３    光ヘッド
１０４    青色レーザ光源
１０５    ディスクモータ
１０６    開閉履歴検出スイッチ
１０７    種類検出スイッチ
１０８    フォーカスエラー信号生成部
１０９    トラッキングエラー信号生成部
１１０    カートリッジ状態検出部
１１１    光源選択部
１１２    レーザ制御部
１１３    レーザ駆動回路
１１４    フォーカス制御部
１１５    スイッチ
１１６    フォーカス駆動回路
１１７    ＦＥ振幅計測部
１１８    ＦＥ振幅比較部
１１９    上昇／下降駆動信号生成部
１２０    ディスク判別部
１２１    トラッキング制御部
１２２    トラッキング駆動回路
１２３    ディスクモータ制御部
１２４    ディスクモータ駆動回路
１２５    ＤＳＰ
１２６    赤色レーザ光源
１２７    赤外レーザ光源
１２８    球面収差補正制御部
１２９    球面収差補正駆動回路
１３０    ＤＶＤディスク起動テーブル
１３１    ＣＤディスク起動テーブル
１３２    Ｂｌｕ−ｒａｙ単層ディスク起動テーブル
１３３    Ｂｌｕ−ｒａｙ２層ディスク起動テーブル
１３４    全光量信号生成部
１３５    ＡＳ振幅計測部
１３６    正規化演算部
１３７    正規化ＦＥ振幅比較部
【図１】
2005149703.tif 000003
【図２】
2005149703.tif 000004
【図３】
2005149703.tif 000005
【図４】
2005149703.tif 000006
【図５】
2005149703.tif 000007
【図６】
2005149703.tif 000008